(57)【要約】【課題】少なくとも１つのシャープペンシルユニットの筆記体を軸筒内に収容した回転繰出式筆記具において、筆記具の全長を短くすることが可能とした構造を提供する。【解決手段】鞘軸の内壁面に回転カムと、該回転カムの後方の鞘軸の内壁面に、内方に突出した嵌合突起を設ける。摺動ケースを、筆記体収容溝を有する収容部と該収容部の外径より小径な頭端部とで構成し、頭端部に嵌合突起が嵌合して回転可能に周状に形成した、軸心方向の長さが嵌合突起の軸心方向の長さとほぼ同等な嵌合凹部を形成する。該嵌合凹部の前方に、嵌合突起が嵌合可能で一方を嵌合凹部に開口した長手方向に延びた嵌合突起溝を、嵌合突起を嵌合凹部に嵌合して、鞘軸を胴軸に対して回転してシャープペンシルユニットの筆記先端を軸筒の先端開口部より突出した際に、嵌合突起に対向するように設ける。【選択図】図１
2009172987.tif 000002
【特許請求の範囲】
【請求項１】
軸筒を互いに回転可能に連設した胴軸と鞘軸とで構成し、筆記体を収容する１つまたは複数の筆記体収容溝を有した摺動ケースを、鞘軸に連動して回転や前後に移動することのないように胴軸に連接して配設し、筆記体収容溝に、後端にカム突起を設けた摺動体を装着した少なくとも１つはシャープペンシルユニットである筆記体を、ばねとともに装着して胴軸の先端開口部と反対側の後方に付勢して収容し、鞘軸内に該鞘軸と一体にまたは別部材で形成した、鞘軸に連動して回転可能に設けた回転カムのカム斜面に摺動体のカム突起を当接し、鞘軸を胴軸に対して回転することにより鞘軸に連動して回転カムが摺動ケースに対して回転し、摺動体のカム突起が回転カムのカム斜面に沿って前後動することで、筆記体が軸筒内を前後動して筆記先端部を胴軸の先端開口部より出没してなる回転繰出式筆記具において、
回転カムまたは回転カムと連動して回転可能な部材の内壁面に、内方に突出した嵌合突起を設け、摺動ケースを、筆記体収容溝を有する収容部と該収容部の外径より小径な頭端部とで構成し、頭端部に嵌合突起が嵌合して回転可能に周状に形成した、軸心方向の長さが嵌合突起の軸心方向の長さとほぼ同等な嵌合凹部を形成し、該嵌合凹部の前方に、嵌合突起が嵌合可能で一方が収容部に延び他方が嵌合凹部に開口した嵌合突起溝を、嵌合突起を嵌合凹部に嵌合して、鞘軸を胴軸に対して回転してシャープペンシルユニットの筆記先端を軸筒の先端開口部より突出した際に、嵌合突起に対向するように設け、嵌合突起と嵌合突起溝が対向した時に、シャープペンシルユニットの筆記先端から鉛芯を繰出すための鞘軸の胴軸側への押圧を可能としたことを特徴とする、回転繰出式筆記具。
【発明の詳細な説明】
【技術分野】
【０００１】
本発明は、鞘軸を胴軸に対して回転することにより、鞘軸内に設けた回転カムと軸筒内に収納した筆記体の後端に設けたカム突起とのカム作用により、筆記体の筆記先端部を胴軸の先端開口部より出没可能とした回転繰出式筆記具に関するものである。
【背景技術】
【０００２】
従来、軸筒を互いに回転可能に連設した胴軸と鞘軸とで構成し、筆記体を収容する１つまたは複数の筆記体収容溝を有した摺動ケースを、鞘軸に連動して回転や前後に移動することのないように胴軸に連接して配設し、筆記体収容溝に、後端にカム突起を設けた摺動体を装着した少なくとも１つはシャープペンシルユニットである筆記体を、ばねとともに装着して胴軸の先端開口部と反対側の後方に付勢して収容し、鞘軸内に該鞘軸と一体にまたは別部材で形成した、鞘軸に連動して回転可能に設けた回転カムのカム斜面に摺動体のカム突起を当接し、鞘軸を胴軸に対して回転することにより鞘軸に連動して回転カムが摺動ケースに対して回転し、摺動体のカム突起が回転カムのカム斜面に沿って前後動することで、筆記体が軸筒内を前後動して筆記先端部を胴軸の先端開口部より出没してなる回転繰出式筆記具は知られている。
【０００３】
また、少なくとも軸筒内に収容した筆記体の１つが、シャープペンシルユニットで構成された筆記体である回転繰出式筆記具についても、例えば特開２００５−１６１８２９号公報等により充分に知られている。ところで、こうしたシャープペンシルユニットの筆記体を有した回転繰出式筆記具においては、前記したように鞘軸を胴軸に対して回転して回転カムを回転させることで、軸筒内に収容した筆記体を押圧して前進させ、軸筒内に収容した筆記体の筆記先端部を軸筒の先端開口部より突出させる構造を有するが、さらに鉛芯を繰出すために、シャープペンシルユニットの筆記体を軸筒内で前進させるために、鞘軸を胴軸に対して押圧可能な構造とする必要がある。
【０００４】
こうした構造についても種々のものが提案されているが、その中に図１３〜図２２を用いて説明する構造のものがある。なお、図１３は、従来の複合筆記具の要部を断面した側面の概略図である。図１４は、図１３におけるＨ−Ｈ線部分の、クリップ部分を省略した拡大端面図である。図１５は、図１３におけるＩ−Ｉ線部分の、クリップ部分を省略した拡大端面図である。図１６は、図１３におけるＪ−Ｊ線部分の、クリップ部分を省略した拡大端面図である。図１７は、図１３おける摺動ケースの後方部分の要部の拡大上面図である。図１８は、図１３において、鞘軸を胴軸に対して回転してシャープペンシルユニットの筆記体の筆記先端部を胴軸の先端開口部より突出した状態を示す、複合筆記具の要部を断面した側面の概略図である。図１９は、図１８におけるＫ−Ｋ線部分の、クリップ部分を省略した拡大端面図である。図２０は、図１８におけるＬ−Ｌ線部分の、クリップ部分を省略した拡大端面図である。図２１は、図１８におけるＭ−Ｍ線部分の、クリップ部分を省略した拡大端面図である。図２２は、図１８において、シャープペンシルユニットの筆記体の筆記先端部から鉛芯を繰出すために鞘軸を胴軸に対して押圧した状態を示す、複合筆記具の要部を断面した側面の概略図である。
【０００５】
従来の複合筆記具５１は、図１３に示すように、軸筒５２は胴軸５３と鞘軸５４とで構成され、胴軸５３は前筒５３ａと後筒５３ｂで構成されている。前筒５３ａと後筒５３ｂは、前筒５３ａに固着した継手金輪５５と後筒５３ｂとを螺着することで、着脱自在に設けてある。鞘軸５４の内壁面には、カム斜面５６（図１８を参照）を有した回転カム５７を鞘軸５４の内壁面に一体に形成して設けてある。回転カム５７の後方（図１３において右側方向）の鞘軸５４の内壁面には、内方に突出した１つのストパー用突起５８（図１４および図１８を参照）と、該ストッパー用突起５８より後方の位置にストッパー用突起５８の突出量より大きな突出量で内方に突出したリング状の嵌合突起５９を設けてある。
【０００６】
筆記体収容溝６０ａ、６０ｂを有する収容部６１と該収容部６１の外径より小径な頭端部６２とで構成された摺動ケース６３は（図１７を参照）、胴軸５３の後筒５３ｂと一体に形成して設けてあり、摺動ケース６３が鞘軸５４に連動して回転や前後に移動することのないようにしてある。なお、摺動ケース６３については、よく知られた構造であり、詳細な図は省略する。筆記体収容溝６０ａにはシャープペンシルユニットの筆記体６４ａを、筆記体収容溝６０ｂにはボールペンレフィルの筆記体６４ｂを、コイルスプリング６５を介在して後方（図１３において右側方向）に付勢して収容してある。各々の筆記体６４ａ、６４ｂの後端部に連接した摺動体６６ａ、６６ｂに設けたカム突起６７ａ、６７ｂは、回転カム５７のカム斜面５６に当接している。
【０００７】
前記頭端部６２には、嵌合凹部６８を設けてあり、前記嵌合突起５９が嵌合して前後動可能としてある。収容部６１には、軸心方向に延び一方を嵌合凹部６８に開口し、ストッパー用突起５８が嵌合して前後動可能なストッパー用突起溝６９を対向した位置に２つ設けてある（図１５を参照）。なお、リング状で内径が頭端部６２の外径より小径な嵌合突起５９を嵌合凹部６８に嵌合するが、頭端部６２には図示していないが長手方向に延びたスリットを設けてあり、摺動ケース６３を鞘軸５４内に挿入した際に、嵌合突起５９に当接することで頭端部６２の外径が縮径し、嵌合突起５９の嵌合凹部６８への嵌合が可能となる。
【０００８】
筆記体６４を後方に付勢するコイルスプリング６５によりカム突起６７が回転カム５７を後方へ押圧し、鞘軸５４を後方へ後退させようとするが、嵌合突起５９が嵌合凹部６８を構成する頭端部６２の後方壁面７０に当接することで必要以上の後退は防止され、鞘軸５４が胴軸５３より離脱しないようにしてある。また、ストパー用突起５８が摺動ケース６３の収容部６１の後端壁面７１に当接することで、鞘軸５４の胴軸５３に対する前進を防止している。
【０００９】
鞘軸５４を胴軸５３に対して回転すると、鞘軸５４に連動して回転カム５７も回転し、回転カム５７のカム斜面５６と該カム斜面５６に当接した筆記体６４の摺動体６６に設けたカム突起６７とのカム作用により、筆記体６４は前後動し、図１８に示すように、シャープペンシルユニットの筆記体６４ａが前進して、筆記体６４ａの筆記先端部７２ａを前筒５３ａの先端開口部７３より突出する。
【００１０】
図２２に示すように、シャープペンシルユニットの筆記体６４ａの筆記先端部７２ａから鉛芯７４を繰出すには、鞘軸５４を胴軸５３に対して押圧して、回転カム５７により該回転カム５７の先端に保持されたシャープペンシルユニットの筆記体６４ａの摺動体６６ａのカム突起６７ａを押圧して、シャープペンシルユニットの筆記体６４ａを前進させるが、シャープペンシルユニットの筆記体６４ａの筆記先端部７２ａが前筒５３ａの先端開口部７３より突出した時に、鞘軸５４の内壁面に設けたストッパー用突起５８が摺動ケース６３の収容部６１に設けたストッパー用突起溝６９に対向し（図１９におけるストッパー用突起５８の位置と図２０におけるストッパー用突起溝６９の位置を参照）、ストッパー用突起５８がストッパー用突起溝６９に嵌合して、シャープペンシルユニットの筆記体６４ａが前進可能となる。本構造では、ボールペンレフィルの筆記体６４ｂの筆記先端部７２ｂが前筒５３ａの先端開口部７３より突出した時にも、ストッパー用突起５８がストッパー用突起溝６９に対向するように設けてあるので、ストッパー用突起５８がストッパー用突起溝６９に嵌合し、ボールペンレフィルの筆記体６４ｂも前進可能となっている。なお、筆記先端部７２が没入時は、ストッパー用突起５８が摺動ケース６３の収容部６１の後端壁面７１に当接し、鞘軸４を胴軸３に対して押圧しても、必要以上に鞘軸４が前進することなく、筆記体６４の筆記先端部７２が胴軸５３の先端開口部７３より突出することがないようにしてある。
【００１１】
ところで、シャープペンシルユニットにおいて、鉛芯を繰出すために必要な鞘軸５４の胴軸５３に対する前進の移動距離、すなわちストッパー用突起５８がストッパー用突起溝６９内を前進する必要がある移動距離は約４ｍｍ位であり、ストッパー用突起溝６９の軸心方向の長さは、約４ｍｍ位としてある。ところで、前記した構造では、嵌合突起５９の前方にストッパー用突起５８を配した構造としてあるために、ストッパー用突起５８の先端と嵌合突起５９の先端との離間した距離分だけ摺動ケース６３の全長が長くなり、しいては筆記具の全長が長くなってしまうという問題があった。
【特許文献１】特開２００５−１６１８２９号号公報
【発明の開示】
【発明が解決しようとする課題】
【００１２】
本発明は前記事実に鑑み、少なくとも１つのシャープペンシルユニットの筆記体を胴軸に連接した摺動ケースに収容し、胴軸に対して鞘軸を回転することにより、鞘軸内に該鞘軸と一体にまたは別部材で形成した、鞘軸に連動して回転可能に設けた回転カムと、筆記体の後端に装着した摺動体に設けたカム突起とのカム作用により筆記体が軸筒内を前後動して、筆記体の筆記先端部を胴軸の先端開口部より出没し、回転カムまたは回転カムと連動して回転可能な部材の内壁面に設けた突起と、該突起が嵌合可能な摺動ケースに設けた溝との構成により、鞘軸が胴軸に対して前進可能とすることで、シャープペンシルユニットの筆記体の筆記先端部から鉛芯を繰出可能とした回転繰出式筆記具の構造において、摺動ケースの軸心方向の全長を従来の構造のものと比較して短くすることで、筆記具における全長を短くできるように改良するものである。
【課題を解決するための手段】
【００１３】
本発明は、
「１．軸筒を互いに回転可能に連設した胴軸と鞘軸とで構成し、筆記体を収容する１つまたは複数の筆記体収容溝を有した摺動ケースを、鞘軸に連動して回転や前後に移動することのないように胴軸に連接して配設し、筆記体収容溝に、後端にカム突起を設けた摺動体を装着した少なくとも１つはシャープペンシルユニットである筆記体を、ばねとともに装着して胴軸の先端開口部と反対側の後方に付勢して収容し、鞘軸内に該鞘軸と一体にまたは別部材で形成した、鞘軸に連動して回転可能に設けた回転カムのカム斜面に摺動体のカム突起を当接し、鞘軸を胴軸に対して回転することにより鞘軸に連動して回転カムが摺動ケースに対して回転し、摺動体のカム突起が回転カムのカム斜面に沿って前後動することで、筆記体が軸筒内を前後動して筆記先端部を胴軸の先端開口部より出没してなる回転繰出式筆記具において、
回転カムまたは回転カムと連動して回転可能な部材の内壁面に、内方に突出した嵌合突起を設け、摺動ケースを、筆記体収容溝を有する収容部と該収容部の外径より小径な頭端部とで構成し、頭端部に嵌合突起が嵌合して回転可能に周状に形成した、軸心方向の長さが嵌合突起の軸心方向の長さとほぼ同等な嵌合凹部を形成し、該嵌合凹部の前方に、嵌合突起が嵌合可能で一方が収容部に延び他方が嵌合凹部に開口した嵌合突起溝を、嵌合突起を嵌合凹部に嵌合して、鞘軸を胴軸に対して回転してシャープペンシルユニットの筆記先端を軸筒の先端開口部より突出した際に、嵌合突起に対向するように設け、嵌合突起と嵌合突起溝が対向した時に、シャープペンシルユニットの筆記先端から鉛芯を繰出すための鞘軸の胴軸側への押圧を可能としたことを特徴とする、回転繰出式筆記具。」
である。
【００１４】
本発明において、嵌合突起を回転カムまたは回転カムと連動して回転可能な部材の内壁面に設けるが、回転カムと連動して回転可能な部材とは、例えば、回転カムを鞘軸の内壁面に一体に設けた際の鞘軸や、鞘軸に連動して設けた鞘軸内に配する内部材や鞘軸に連接した部材等である。
【発明の効果】
【００１５】
本発明の回転繰出式筆記具は前記したような構造なので、従来の回転カムの内壁面または回転カムと連動して回転可能な部材に設けた突起と、該突起が嵌合可能な摺動ケースに設けた溝との構成により、鞘軸が胴軸に対して前進可能とすることで、シャープペンシルユニットの筆記体の筆記先端部から鉛芯を繰出可能とした構造において、摺動ケースの全長を従来のものに比べて短くできるので、筆記具の全長を短くすることができる。
【００１６】
あるいは、筆記具の全長を短くするのではなく、回転カムのカム斜面の軸心方向の距離をその分長くすることで、筆記体の筆記先端部の軸筒内への没入時に、筆記先端の軸筒の先端開口部からの没入距離を長くすることができ、その結果、携帯時に鞘軸が胴軸に対して僅かに回転することにより、筆記体の筆記先端部が軸筒の先端開口部から突出してしまい、知らぬ間にポケットや衣類等をインキで汚してしまうという事故をおきにくくすることができる。
【００１７】
また、筆記具としての全長を変えることなく鞘軸の後端に装着した消しゴムの量を、大きなもの（長手方向の長さが長いもの）に変えることができるという利点がある。
【発明を実施するための最良の形態】
【００１８】
本発明の回転繰出式筆記具は、鞘軸と胴軸で構成された軸筒内に配した摺動ケースの筆記体収容溝に、カム突起を有した摺動体を後端に装着した少なくとも１つはシャープペンシルユニットである１つまたは複数の筆記体を収容し、鞘軸内に回転カムを配し、鞘軸を胴軸に対して回転することにより、前記カム突起と回転カムのカム作用により筆記体の筆記先端部を胴軸の先端開口部より出没させる、従来より知られている回転繰出式構造において、回転カムの後方の鞘軸の内壁面に設けた嵌合突起を、摺動ケースに設けた嵌合突起が嵌合可能な嵌合凹部に嵌合し、鞘軸を胴軸に対して回転してシャープペンシルユニットの筆記先端を軸筒の先端開口部より突出した際に、嵌合凹部の前方に設けた一端を嵌合凹部に開口させた嵌合突起溝に嵌合突起が対向し、嵌合突起が嵌合突起溝に進入することで鞘軸の胴軸側への押圧が可能となり、シャープペンシルユニットの筆記先端から鉛芯を繰出すことが可能となるようにするものである。
【実施例】
【００１９】
本発明の実施例を図面を用いて説明する。
本実施では、便宜上、シャープペンシルユニットの筆記体とボールペンレフィルの筆記体を軸筒内に収容した回転繰出式の複合筆記具として説明するが、これに限定されるものではない。軸筒内に、１つのシャープペンシルユニットの筆記体と２つのボールペンレフィルの筆記体を収容した複合筆記具であってもよいし、２つのシャープペンシルユニットの筆記体を収容した複合筆記具であってもよい。あるいは、１つのシャープペンシルユニットの筆記体を収容した回転繰出式のシャープペンシルであってもよい。
【００２０】
図１は、本発明の実施例を示す複合筆記具の要部を断面した側面の概略図である。図２は、図１におけるＡ−Ａ線部分の、クリップ部分を省略した拡大端面図である。図３は、図１におけるＢ−Ｂ線部分の、クリップ部分を省略した拡大端面図である。図４は、図１におけるＣ−Ｃ線部分の、クリップ部分を省略した拡大端面図である。図５は、図１における摺動ケースの後方部分の要部の拡大上面図である。図６は、図１における摺動ケースの後方部分の要部の拡大側面図である。図７は、図６におけるＤ−Ｄ線部分の端面図である。図８は、図６におけるＥ−Ｅ線部分の端面図である。図９は、図１において、胴軸を鞘軸に対して回転してシャープペンシルユニットの筆記体の筆記先端部を胴軸の先端開口部より突出した状態を示す、複合筆記具の要部を断面した側面の概略図である。図１０は、図９におけるＦ−Ｆ線部分の、クリップ部分を省略した拡大端面図である。図１１は、図９におけるＧ−Ｇ線部分の、クリップ部分を省略した拡大端面図である。図１２は、図９において、シャープペンシルユニットの筆記体の筆記先端部から鉛芯を繰出すために鞘軸を胴軸に対して押圧した状態を示す、複合筆記具の要部を断面した側面の概略図である。
【００２１】
図１〜図１２に示す、本発明の実施例の回転繰出式の複合筆記具１は、図１に示すように前記した従来の複合筆記具５１と同様に、軸筒２は前筒３ａと後筒３ｂで構成された胴軸３と鞘軸４とで構成されており、前筒３ａに固着した継手金輪５と後筒３ｂとを螺着することで、前筒３ａと後筒３ｂとを着脱自在に設けてある。
【００２２】
図１に示すように、鞘軸４の内壁面には、前記した従来の複合筆記具５１と同様に、回転カム６を鞘軸４の内壁面に一体に形成して設けてある。回転カム６の後方の鞘軸４の内壁面には、内方に突出した嵌合突起７を対向した２カ所に設けてある（図２を参照）。また同様に、筆記体収容溝８ａ、８ｂを有する収容部９と該収容部９の外径より小径な頭端部１０とで構成された摺動ケース１１は（図５〜図８を参照）、胴軸３の後筒３ｂと一体に形成して設けてあり、鞘軸５に連動して回転や前後に移動することのないようにしてある。筆記体収容溝８ａにはシャープペンシルユニットの筆記体１２ａを、筆記体収容溝８ｂにはボールペンレフィルの筆記体１２ｂを、コイルスプリング１３を介在して後方（図１において右側方向）に付勢して収容してある。各々の筆記体１２ａ、１２ｂの後端部に連接した摺動体１４ａ、１４ｂに設けたカム突起１５ａ、１５ｂは、回転カム６に当接させてある。
【００２３】
図５〜図８に示すように、頭端部１０には、回転カム６の後方（図１において右側方向）の鞘軸４の内壁面に設けた嵌合突起７が嵌合して回転可能な、軸心方向の長さが嵌合突起７の軸心方向の長さとほぼ同等な周状に形成した嵌合凹部１６を設けてある。該嵌合凹部１６は、収容部９の後端壁面１７に連接して設けてあり、頭端部１０の軸心方向の全長は前記嵌合凹部１６の軸心方向の全長より若干長い長さとし、従来の複合筆記具における摺動ケースの頭端部の軸心方向の全長より短い。また、従来の構造のものと同様に、収容部９には、筆記体収容溝８と重ならない位置に、軸心方向に延び、嵌合凹部１６に開口した前記嵌合突起７が嵌合して前後に移動可能な嵌合突起溝１８が対向した２カ所に設けてある（図３を参照）。
【００２４】
嵌合凹部１６の後方の頭端部１０の後端部１９の縁部は、後方に行くに従い漸次外径が小径となるようなテーパー状に設けてあり、嵌合突起７の内方に突出した先端の前方側縁部は前記テーパーと同様なテーパー形状としてあり、鞘軸４内に胴軸３に連接した摺動ケース１１を挿入した際に、嵌合突起７が前記後端部１９を乗り越えて嵌合凹部１６に嵌合しやすくしてある。
【００２５】
嵌合突起７が摺動ケース１１の頭端部１０の嵌合凹部１６に嵌合することにより、鞘軸４は胴軸３より離脱しない。また、嵌合突起７が摺動ケース１１の収容部９の後端壁面１７に当接することで、鞘軸４の胴軸３に対する前進を防止している。
【００２６】
図１において、鞘軸４を胴軸３に対して回転すると、鞘軸４に連動して回転カム６も回転し、回転カム６に当接した筆記体１２ａ、１２ｂの摺動体１４ａ、１４ｂに設けたカム突起１５ａ、１５ｂとのカム作用により、筆記体１２ａ、１２ｂは前後動し（図９においては、シャープペンシルユニットの筆記体１２ａが前進）、図９に示すように、シャープペンシルユニットの筆記体１２ａの筆記先端部２０ａが胴軸３の先端開口部２１より突出する。
【００２７】
図１２に示すように、シャープペンシルユニットの筆記体１２ａの筆記先端部２０ａから鉛芯２２を繰出すには、筆記先端部２０ａが胴軸３の前筒３ａの先端開口部２１より突出した時には、嵌合突起７が摺動ケース１１に設けた嵌合突起溝１８に対向し、鞘軸４は胴軸３に対して押圧可能となるので、鞘軸４を押圧して前進移動させればよい。
【００２８】
図面中、符号２３はクリップであり、符号２４は消しゴムである。従来と同様にして鞘軸４の後端部分に各々装着してある。
【産業上の利用可能性】
【００２９】
少なくとも１つのシャープペンシルユニットの筆記体を軸筒内に収容した回転繰出式筆記具において、従来の筆記具より全長を短くしたい場合や、従来の筆記具の全長より長くすることなく、軸筒内に収容した筆記体の筆記先端の軸筒の先端開口部からの没入距離を長くしたい場合に利用可能である。
【図面の簡単な説明】
【００３０】
【図１】本発明の実施例を示す複合筆記具の要部を断面した、側面の概略図である。
【図２】図１におけるＡ−Ａ線部分の、クリップ部分を省略した拡大端面図である。
【図３】図１におけるＢ−Ｂ線部分の、クリップ部分を省略した拡大端面図である。
【図４】図１におけるＣ−Ｃ線部分の、クリップ部分を省略した拡大端面図である。
【図５】は、図１における摺動ケースの後方部分の要部の拡大上面図である。
【図６】は、図１における摺動ケースの後方部分の要部の拡大側面図である。
【図７】は、図６におけるＤ−Ｄ線部分の端面図である。
【図８】は、図６におけるＥ−Ｅ線部分の端面図である。
【図９】図１において、胴軸を鞘軸に対して回転してシャープペンシルユニットの筆記体の筆記先端部を胴軸の先端開口部より突出した状態を示す、複合筆記具の要部を断面した、側面の概略図である。
【図１０】図９におけるＦ−Ｆ線部分の、クリップ部分を省略した拡大端面図である。
【図１１】図９におけるＧ−Ｇ線部分の、クリップ部分を省略した拡大端面図である。
【図１２】図９において、シャープペンシルユニットの筆記体の筆記先端部から鉛芯を繰出すために鞘軸を胴軸に対して押圧した状態を示す、複合筆記具の要部を断面した側面の概略図である。
【図１３】従来の複合筆記具の要部を断面した側面の概略図である。
【図１４】図１３におけるＨ−Ｈ線部分の、クリップ部分を省略した拡大端面図である。
【図１５】図１３におけるＩ−Ｉ線部分の、クリップ部分を省略した拡大端面図である。
【図１６】図１３におけるＪ−Ｊ線部分の、クリップ部分を省略した拡大端面図である。
【図１７】は、図１３における摺動ケースの後方部分の要部の拡大上面図である。
【図１８】図１３において、鞘軸を胴軸に対して回転してシャープペンシルユニットの筆記体の筆記先端部を胴軸の先端開口部より突出した状態を示す、複合筆記具の要部を断面した側面の概略図である。
【図１９】図１８におけるＫ−Ｋ線部分の、クリップ部分を省略した拡大端面図である。
【図２０】図１８におけるＬ−Ｌ線部分の、クリップ部分を省略した拡大端面図である。
【図２１】図１８におけるＭ−Ｍ線部分の、クリップ部分を省略した拡大端面図である。
【図２２】図１８において、シャープペンシルユニットの筆記体の筆記先端部から鉛芯を繰出すために鞘軸を胴軸に対して押圧した状態を示す、複合筆記具の要部を断面した側面の概略図である。
【符号の説明】
【００３１】
１  複合筆記具
２  軸筒
３  胴軸
４  鞘軸
６  回転カム
７  嵌合突起
８  筆記体収容溝
９  収容部
１０  頭端部
１１  摺動ケース
１２  筆記体
１３  コイルスプリング
１４  摺動体
１５  カム突起
１６  嵌合凹部
１８  嵌合突起溝
【図１】
2009172987.tif 000003
【図２】
2009172987.tif 000004
【図３】
2009172987.tif 000005
【図４】
2009172987.tif 000006
【図５】
2009172987.tif 000007
【図６】
2009172987.tif 000008
【図７】
2009172987.tif 000009
【図８】
2009172987.tif 000010
【図９】
2009172987.tif 000011
【図１０】
2009172987.tif 000012
【図１１】
2009172987.tif 000013
【図１２】
2009172987.tif 000014
【図１３】
2009172987.tif 000015
【図１４】
2009172987.tif 000016
【図１５】
2009172987.tif 000017
【図１６】
2009172987.tif 000018
【図１７】
2009172987.tif 000019
【図１８】
2009172987.tif 000020
【図１９】
2009172987.tif 000021
【図２０】
2009172987.tif 000022
【図２１】
2009172987.tif 000023
【図２２】
2009172987.tif 000024